(57)【要約】【課題】読み取り位置に設けられた透明状部材から放電することに伴う読み取りセンサーの故障をより確実に抑制すること。【解決手段】画像読取装置は、媒体が搬送される搬送経路と、前記搬送経路を搬送される媒体の面が接する透明状部材及び前記透明状部材を介して媒体の面を読み取る読み取り手段を備えた読み取りユニットと、を備え、前記読み取りユニットは、前記読み取り手段を収容する箱状体と、前記箱状体の内側と前記読み取り手段との間に配置された導電性シート材と、を備え、前記導電性シート材は、前記読み取り手段の周囲を構成する側面であって媒体の搬送方向と交差する側面である上流側の側面および下流側の側面のうち、少なくとも前記透明状部材から前記読み取り手段が備える回路基板までの静電気の通路長が短い側の側面と前記箱状体の内面との間に配置されている。【選択図】図７
2016178490.tif 000002
【特許請求の範囲】
【請求項１】
媒体が搬送される搬送経路と、
前記搬送経路を搬送される媒体の面が接する透明状部材及び前記透明状部材を介して媒
体の面を読み取る読み取り手段を備えた読み取りユニットと、を備え、
前記読み取りユニットは、前記読み取り手段を収容する箱状体と、
前記箱状体の内側と前記読み取り手段との間に配置された導電性シート材と、を備え、
前記導電性シート材は、前記読み取り手段の周囲を構成する側面であって媒体の搬送方
向と交差する側面である上流側の側面および下流側の側面のうち、少なくとも前記透明状
部材から前記読み取り手段が備える回路基板までの静電気の通路長が短い側の側面と前記
箱状体の内面との間に配置されている、
ことを特徴とする画像読取装置。
【請求項２】
請求項１に記載の画像読取装置において、前記読み取りユニットは、前記搬送経路を挟
んで対向配置される、
ことを特徴とする画像読取装置。
【請求項３】
請求項１または請求項２に記載の画像読取装置において、前記箱状体の内面には凸部が
形成され、
前記導電性シート材には凹部が形成され、前記凸部と前記凹部との係合により前記導電
性シート材が保持される、
ことを特徴とする画像読取装置。
【請求項４】
請求項１または請求項２に記載の画像読取装置において、前記導電性シート材がＬ字状
を成すことにより、前記読み取り手段が前記箱状体に収容された状態において、前記導電
性シート材が前記読み取り手段の側面及び底面と前記箱状体との間に挟まれる、
ことを特徴とする画像読取装置。
【請求項５】
請求項１から請求項４のいずれか一項に記載の画像読取装置において、前記箱状体には
、媒体を前記透明状部材の側へガイドするガイド部が形成され、
前記読み取り手段が前記箱状体に収容された状態において、前記透明状部材が媒体と接
する面は、前記ガイド部の上面に対し前記搬送経路から退避している、
ことを特徴とする画像読取装置。
【請求項６】
請求項１から請求項５のいずれか一項に記載の画像読取装置において、前記箱状体には
、媒体を前記透明状部材へガイドするガイド部が形成され、
前記読み取り手段が前記箱状体に収容された状態において、前記透明状部材が媒体と接
する面は、前記ガイド部の上面に対し前記搬送経路から退避している、
ことを特徴とする画像読取装置。
【発明の詳細な説明】
【技術分野】
【０００１】
本発明は、スキャナ等に代表される画像読取装置に関する。
【背景技術】
【０００２】
スキャナ等に代表される画像読取装置には、特許文献１に示される様に、原稿の自動搬
送装置（ＡＤＦ（Auto Document Feeder）とも呼ばれる）により、複数枚の原稿の自動送
りと読み込みとを行える様に構成される場合がある。また、特許文献２に示される様に、
２つの原稿読み取り用センサーが原稿搬送経路を挟んで配置され、原稿の両面を読み取り
可能に構成されたものもある。
【先行技術文献】
【特許文献】
【０００３】
【特許文献１】特開２００７−１６８９４７号公報
【特許文献２】特開２０１４−０５８３５６号公報
【発明の概要】
【発明が解決しようとする課題】
【０００４】
上記の様な原稿の自動送り装置を備えたスキャナにおいては、原稿が搬送される際に原
稿搬送経路を形成する部材が帯電することがある。特に、原稿読み取りセンサーを備えた
読み取りユニットを構成するガラスが帯電し、そしてガラスの帯電許容量を超えると、ガ
ラスからの放電によって静電気が読み取りセンサー内部へと入り、読み取りセンサーを故
障させる虞がある。
【０００５】
一方、この様な問題を回避する為に、特許文献１に記載の画像形成装置では、原稿搬送
経路に、原稿に帯電した電荷を除電する除電ブラシを設けている。  
しかしながら、読み取り位置に設けられたガラスの帯電を完全に防止することは不可能
であり、原稿の搬送を繰り返すことによりガラスの帯電量は増えていき、やがて上記の様
に放電が生じて読み取りセンサーを故障させる虞がある。
【０００６】
そこで本発明は以上の様な状況に鑑み成されたものであり、その目的は、読み取り位置
に設けられた透明状部材から放電することに伴う読み取りセンサーの故障をより確実に抑
制することにある。
【課題を解決するための手段】
【０００７】
上記課題を解決する為の、本発明の第１の態様に係る画像読取装置は、媒体が搬送され
る搬送経路と、前記搬送経路を搬送される媒体の面が接する透明状部材及び前記透明状部
材を介して媒体の面を読み取る読み取り手段を備えた読み取りユニットと、を備え、前記
読み取りユニットは、前記読み取り手段を収容する箱状体と、前記箱状体の内側と前記読
み取り手段との間に配置された導電性シート材と、を備え、前記導電性シート材は、前記
読み取り手段の周囲を構成する側面であって媒体の搬送方向と交差する側面である上流側
の側面および下流側の側面のうち、少なくとも前記透明状部材から前記読み取り手段が備
える回路基板までの静電気の通路長が短い側の側面と前記箱状体の内面との間に配置され
ていることを特徴とする。
【０００８】
本態様によれば、媒体の面が接する透明状部材及び前記透明状部材を介して媒体の面を
読み取る読み取り手段を備えた読み取りユニットは、前記読み取り手段を収容する箱状体
と、前記箱状体の内側と前記読み取り手段との間に配置された導電性シート材と、を備え
、前記導電性シート材は、少なくとも前記透明状部材から前記読み取り手段が備える回路
基板までの静電気の通路長が短い側の側面と前記箱状体の内面との間に配置されているの
で、いわゆる沿面距離が短い経路に前記導電性シート材を配置することで、透明状部材か
ら前記読み取り手段への静電気の放電に伴う前記読み取り手段の故障、また、瞬間的に発
生する画像異常を、より確実に抑制することができる。
【０００９】
本発明の第２の態様は、第１の態様において、前記読み取りユニットは、前記搬送経路
を挟んで対向配置されることを特徴とする。  
本態様によれば、前記読み取りユニットは、前記搬送経路を挟んで対向配置されるので
、媒体の両面を読み取り可能に構成された画像読取装置において、上記第１の態様の作用
効果を得ることができる。
【００１０】
本発明の第３の態様は、第１のまたは第２の態様において、前記箱状体の内面には凸部
が形成され、前記導電性シート材には凹部が形成され、前記凸部と前記凹部との係合によ
り前記導電性シート材が保持されることを特徴とする。
【００１１】
本態様によれば、前記箱状体の内面には凸部が形成され、前記導電性シート材には凹部
が形成され、前記凸部と前記凹部との係合により前記導電性シート材が保持されるので、
前記導電性シート材を作業性容易に前記箱状体内に保持することができる。
【００１２】
本発明の第４の態様は、第１のまたは第２の態様において、前記導電性シート材がＬ字
状を成すことにより、前記読み取り手段が前記箱状体に収容された状態において、前記導
電性シート材が前記読み取り手段の側面及び底面と前記箱状体との間に挟まれることを特
徴とする。
【００１３】
本態様によれば、前記導電性シート材がＬ字状を成すことにより、前記読み取り手段が
前記箱状体に収容された状態において、前記導電性シート材が前記読み取り手段の側面及
び底面と前記箱状体との間に挟まれるので、前記導電性シート材をより確実に前記箱状体
内に保持できる。
【００１４】
本発明の第５の態様は、第１から第４の態様のいずれかにおいて、前記箱状体には、媒
体を前記透明状部材の側へガイドするガイド部が形成され、前記読み取り手段が前記箱状
体に収容された状態において、前記透明状部材が媒体と接する面は、前記ガイド部の上面
に対し前記搬送経路から退避していることを特徴とする。
【００１５】
本態様によれば、前記箱状体には、媒体を前記透明状部材の側へガイドするガイド部が
形成され、前記読み取り手段が前記箱状体に収容された状態において、前記透明状部材が
媒体と接する面は、前記ガイド部の上面に対し前記搬送経路から退避しているので、媒体
が前記ガイド部から前記透明状部材の面に移動する際の引っ掛かりを抑制して円滑な搬送
を実現することができる。
【００１６】
本発明の第６の態様に係る画像読取装置は、第１から第５の態様のいずれかにおいて、
前記箱状体には、媒体を前記透明状部材へガイドするガイド部が形成され、前記読み取り
手段が前記箱状体に収容された状態において、前記透明状部材が媒体と接する面は、前記
ガイド部の上面に対し前記搬送経路から退避していることを特徴とする。
【００１７】
本態様によれば、画像読取装置において媒体の面が接する透明状部材及び前記透明状部
材を介して媒体の面を読み取る読み取り手段を備えた読み取りユニットは、前記読み取り
手段を収容する箱状体を備え、前記箱状体には、媒体を前記透明状部材へガイドするガイ
ド部が形成され、前記読み取り手段が前記箱状体に収容された状態において、前記透明状
部材が媒体と接する面は、前記ガイド部の上面に対し前記搬送経路から退避しているので
、媒体が前記ガイド部から前記透明状部材の面に移動する際の引っ掛かりを抑制して円滑
な搬送を実現することができる。
【図面の簡単な説明】
【００１８】
【図１】本発明に係る画像読取装置を示す外観斜視図。
【図２】本発明に係る画像読取装置における給送状態を示す斜視図。
【図３】本発明に係る画像読取装置において上部ユニットを下部ユニットに対して開状態とした場合の斜視図。
【図４】本発明に係る画像読取装置における給送経路を示す側断面図。
【図５】下部ユニットにおける搬送経路側を示す平面図。
【図６】上部ユニットにおける搬送経路側を示す斜視図。
【図７】本発明に係る画像読取部の斜視図。
【図８】本発明に係る画像読取部の側断面図。
【図９】本発明に画像読取部の分解斜視図。
【図１０】（Ａ）は本発明に係る下部読み取りユニットを上方から見た斜視図であり、（Ｂ）は下部読み取りユニットを下方から見た斜視図。
【図１１】（Ａ）は下部読み取りユニットの箱状体を上方から見た斜視図であり、（Ｂ）は下部読み取りユニットの箱状体を（Ａ）図と別のアングルで上方から見た斜視図。
【図１２】本発明に係る読取センサー部の斜視図。
【図１３】本発明に読取センサー部の平面図。
【図１４】本発明に係る導電性シート材の斜視図。
【図１５】本発明に係る読み取りユニットにおけるガイド部と読取センサー部との関係を示す側断面図。
【発明を実施するための形態】
【００１９】
以下、本発明の実施の形態を図面に基づいて説明する。尚、各実施例において同一の構
成については、同一の符号を付し、最初の実施例においてのみ説明し、以後の実施例にお
いてはその構成の説明を省略する。
【００２０】
図１は本発明に係る画像読取装置を示す外観斜視図であり、図２は本発明に係る画像読
取装置における給送状態を示す斜視図であり、図３は本発明に係る画像読取装置において
上部ユニットを下部ユニットに対して開状態とした場合の斜視図であり、図４は本発明に
係る画像読取装置における給送経路を示す側断面図であり、図５は下部ユニットにおける
搬送経路側を示す平面図である。
【００２１】
図６は上部ユニットにおける搬送経路側を示す斜視図であり、図７は本発明に係る画像
読取部の斜視図であり、図８は本発明に係る画像読取部の側断面図であり、図９は本発明
に画像読取部の分解斜視図であり、図１０（Ａ）は本発明に係る下部読み取りユニットを
上方から見た斜視図であり、図１０（Ｂ）は下部読み取りユニットを下方から見た斜視図
である。
【００２２】
図１１（Ａ）は下部読み取りユニットの箱状体を上方から見た斜視図であり、図１１（
Ｂ）は下部読み取りユニットの箱状体を図１１（Ａ）図と別のアングルで上方から見た斜
視図であり、図１２は本発明に係る読取センサー部の斜視図であり、図１３は本発明に読
取センサー部の平面図であり、図１４は本発明に係る導電性シート材の斜視図であり、図
１５は本発明に係る読み取りユニットにおけるガイド部と読取センサー部との関係を示す
側断面図である。
【００２３】
また、各図において示すＸ−Ｙ−Ｚ座標系はＸ方向が装置幅方向であるとともに用紙幅
方向、Ｙ方向が画像読取装置の奥行き方向及び用紙搬送方向、Ｚ方向が装置高さ方向を示
している。尚、各図において−Ｙ方向を装置前面側とし、＋Ｙ方向側を装置背面側とする
。
【００２４】
■■■実施例■■■■
＜＜＜画像読取装置の概要＞＞＞
図１ないし図３を参照して画像読取装置１０について説明する。本実施例において画像
読取装置１０は、用紙Ｐの表面及び裏面の少なくとも一面を読み取り可能なドキュメント
スキャナーとして構成されている。画像読取装置１０は、下部ユニット１２と、上部ユニ
ット１４と、カバー部１６と、排紙トレイ１８とを備えている。
【００２５】
上部ユニット１４は下部ユニット１２に対して用紙搬送方向下流側を回動支点として回
動可能に下部ユニット１２に取り付けられている。上部ユニット１４は、下部ユニット１
２に対して閉じて下部ユニット１２とともに用紙Ｐの搬送経路１５（図４参照）を構成す
る閉状態（図２参照）と、下部ユニット１２に対して装置前面側に回動して用紙Ｐの搬送
経路１５を露呈させて用紙Ｐの紙詰まりの処理を容易に行うことができる開状態（図３参
照）とを取り得る。
【００２６】
下部ユニット１２の背面側の上部にはカバー部１６が設けられている。カバー部１６は
、下部ユニット１２に対して回動可能に下部ユニット１２に取り付けられている。カバー
部１６は、図１に示すように上部ユニット１４の上部及び給送口２０（図２及び図４参照
）を覆う非給送状態と、図２に示すように非給送状態から装置背面側に回動し、給送口２
０を開放するとともにカバー部１６の裏面１６ａが用紙Ｐの載置部２２を構成する給送状
態とを取り得る。
【００２７】
また、下部ユニット１２の装置前面側には用紙Ｐを排出する排出口２４が設けられてい
る。また、下部ユニット１２は、排出口２４から装置前方側に向けて引き出し可能な排紙
トレイ１８を備えている。排紙トレイ１８は、下部ユニット１２の底部に収納された状態
（図１参照）と、装置前面側に引き出された状態（図２参照）とを取り得る。また、本実
施例において排紙トレイ１８は複数のトレイ部材を連結して構成されており、排出される
用紙Ｐの長さに応じて、排出口２４からの引き出し長さを調整可能である。
【００２８】
＜＜＜画像読取装置における給送経路について＞＞＞
次いで、図４を参照して、画像読取装置１０における用紙Ｐの搬送経路１５について説
明する。下部ユニット１２に対して装置背面側に回動した姿勢にあるカバー部１６の裏面
１６ａに設けられた載置部２２に用紙Ｐが載置される。載置部２２に載置された用紙Ｐは
、下部ユニット１２に対して回転可能に設けられた第１給送ローラー２６により給送方向
下流側に給送される。尚、図示しないが第１給送ローラー２６が設けられた位置には用紙
戻しレバーが設けられ、用紙Ｐの重送を防止している。
【００２９】
第１給送ローラー２６の給送方向下流側には、下部ユニット１２に第２給送ローラー２
８が回転可能に設けられ、上部ユニット１４に分離ローラー３０が回転可能に設けられて
いる。尚、本実施例において分離ローラー３０には所定の回転抵抗が与えられている。そ
して、第１給送ローラー２６により給送された複数の用紙Ｐは、分離ローラー３０により
分離され、第２給送ローラー２８と接している用紙Ｐのみが第２給送ローラー２８と分離
ローラー３０とにニップされて給送方向下流側に給送される。
【００３０】
第２給送ローラー２８の給送方向下流側には搬送ローラー対３２、画像読取部３４及び
排出ローラー対３６が設けられている。第２給送ローラー２８及び分離ローラー３０によ
りニップされて給送方向下流側に給送された用紙Ｐは搬送ローラー対３２にニップされて
、搬送ローラー対３２の下流側に位置する画像読取部３４に搬送される。
【００３１】
尚、搬送ローラー対３２は下部ユニット１２に設けられた搬送駆動ローラー３２ａと、
上部ユニット１４に設けられ、搬送駆動ローラー３２ａに対して従動回転する搬送従動ロ
ーラー３２ｂを備えている。
【００３２】
ここで、画像読取部３４は、上部ユニット１４側に設けられた上部読み取りユニット３
８と、下部ユニット１２側に設けられた下部読み取りユニット４０とを備えている。本実
施例において、上部読み取りユニット３８及び下部読み取りユニット４０は「読み取りユ
ニット」として構成され、一例として密着型イメージセンサーモジュール（ＣＩＳＭ）と
して構成されている。
【００３３】
用紙Ｐは、画像読取部３４において用紙Ｐの表面及び裏面の少なくとも一方の面の画像
を読み取られた後、画像読取部３４の搬送方向下流側に位置する排出ローラー対３６にニ
ップされて排出口２４から排紙トレイ１８に向けて排出される。
【００３４】
また、本実施例において排出ローラー対３６は下部ユニット１２に設けられた排出駆動
ローラー３６ａと、上部ユニット１４に設けられ、排出駆動ローラー３６ａに対して従動
回転する排出従動ローラー３６ｂを備えている。
【００３５】
また、本実施例において第１給送ローラー２６、第２給送ローラー２８、搬送駆動ロー
ラー３２ａ及び排出駆動ローラー３６ａは、下部ユニット１２内に設けられた少なくとも
１つの駆動源（不図示）により回転駆動させられる。
【００３６】
また、本実施例において下部ユニット１２内には制御部４２が設けられている。本実施
例において制御部４２は、複数の電子部品を備える電気回路として構成されている。制御
部４２は、上部読み取りユニット３８、下部読み取りユニット４０及び前記駆動源を制御
している。
【００３７】
また、制御部４２は画像読取装置１０における用紙Ｐの搬送及び画像読取動作を制御す
るように構成されている。また、制御部４２は外部（ＰＣなど）からの指示で画像読取装
置１０における原稿読取動作の実行に必要な動作を制御してもよい。
【００３８】
＜＜＜上部ユニット及び下部ユニットの構成について＞＞＞
次いで、図５及び図６を参照して下部ユニット１２及び上部ユニット１４の構成につい
て説明する。図５を参照するに下部ユニット１２には経路形成部材４４が設けられている
。経路形成部材４４は、下部ユニット１２に対して上部ユニット１４が閉状態である場合
、用紙Ｐの搬送経路１５の一部を構成する。
【００３９】
また、経路形成部材４４において用紙幅方向の略中央部には固定部材４５が取り付けら
れている。固定部材４５も下部ユニット１２に対して上部ユニット１４が閉状態である場
合、用紙Ｐの搬送経路１５の一部を構成する。
【００４０】
本実施例において固定部材４５には、第１給送ローラー２６及び第２給送ローラー２８
が配置されている。本実施例において、第１給送ローラー２６及び第２給送ローラー２８
は用紙Ｐの搬送経路１５、すなわち、固定部材４５に対して第１給送ローラー２６及び第
２給送ローラー２８の一部が突出するように配置されている。
【００４１】
また、本実施例では、固定部材４５における用紙搬送方向上流側に第１給送ローラー２
６が配置されている。また、本実施例において、第１給送ローラー２６は、固定部材４５
において用紙幅方向に所定の間隔をおいて２つ設けられている。
【００４２】
また、固定部材４５における用紙搬送方向において第１給送ローラー２６の下流側には
、第２給送ローラー２８が配置されている。本実施例において、第２給送ローラー２８も
固定部材４５における用紙幅方向に所定の間隔をおいて２つ設けられている。
【００４３】
また、経路形成部材４４において、第２給送ローラー２８の用紙搬送方向下流側には、
搬送駆動ローラー３２ａが回転可能に配置されている。本実施例において搬送駆動ローラ
ー３２ａは、用紙幅方向に所定の間隔をおいて２つ設けられている。
【００４４】
また、本実施例において経路形成部材４４の搬送駆動ローラー３２ａの用紙搬送方向下
流側には、画像読取部３４の下部読み取りユニット４０が配置されている。また、経路形
成部材４４の下部読み取りユニット４０の用紙搬送方向下流側には、排出駆動ローラー３
６ａが回転可能に配置されている。また、経路形成部材４４において用紙幅方向両端部に
はフック掛止部４６、４６が設けられている。
【００４５】
次いで、図６を参照して上部ユニット１４の構成について説明する。上部ユニット１４
には、分離ローラー３０が回転可能に取り付けられている。本実施例において、分離ロー
ラー３０は上部ユニット１４から用紙Ｐの搬送経路１５側に突出するように上部ユニット
１４に設けられている。また、上部ユニット１４において分離ローラー３０の用紙搬送方
向下流側には搬送従動ローラー３２ｂが回転可能に配置されている。
【００４６】
また、上部ユニット１４において搬送従動ローラー３２ｂの用紙搬送方向下流側には画
像読取部３４の上部読み取りユニット３８が設けられている。また、上部ユニット１４の
上部読み取りユニット３８の用紙搬送方向下流側には、排出従動ローラー３６ｂが回転可
能に配置されている。
【００４７】
また、上部ユニット１４には、用紙搬送方向上流側の端部における用紙幅方向の両端部
にはフック４８が設けられている。フック４８は、上部ユニット１４に対して、下部ユニ
ット１２に設けられたフック掛止部４６と係合する状態と、フック掛止部４６との係合を
解除する状態との間を回動可能に設けられている。すなわち、フック４８をフック掛止部
４６に係合させることにより上部ユニット１４は下部ユニット１２とともに用紙Ｐの搬送
経路１５を構成する閉状態となる。
【００４８】
＜＜＜画像読取部について＞＞＞
図７ないし図１５を参照して画像読取部３４について説明する。画像読取部３４は、図
７に示すように上部ユニット１４側に設けられた上部読み取りユニット３８と、下部ユニ
ット１２側に設けられ、上部読み取りユニット３８に対向する下部読み取りユニット４０
とを備えている。尚、図７及び図８において下部ユニット１２及び上部ユニット１４の図
示は説明のために省略している。
【００４９】
上部読み取りユニット３８及び下部読み取りユニット４０は、用紙幅方向に延びている
。また、上部読み取りユニット３８には、用紙幅方向における両端部に付勢部材５０、５
０が配置されている。付勢部材５０、５０は、図示しないが上部読み取りユニット３８と
上部ユニット１４との間に配置されている。本実施例において上部読み取りユニット３８
は、上部ユニット１４に対して進退可能に構成されている。そして、付勢部材５０は、上
部読み取りユニット３８を下部読み取りユニット４０に向けて付勢している。
【００５０】
ここで、図８及び図９を参照するに、上部読み取りユニット３８は、箱状体５２と、読
取センサー部５４と、導電性シート材５６とを備え、下部読み取りユニット４０は、箱状
体５８と、読取センサー部５４と、導電性シート材５６とをそれぞれ備えている。尚、箱
状体５２と箱状体５８とは、ほぼ同じ構成を備えており、後述するガイド部の長さが異な
る点で相違している。
【００５１】
＜＜＜下部読み取りユニットの構成について＞＞＞
次いで、図１０（Ａ）ないし図１４を参照して、下部読み取りユニット４０を例として
読み取りユニットの構成について説明する。下部読み取りユニット４０において箱状体５
８には読取センサー部５４及び導電性シート材５６が収容されている。読取センサー部５
４の上部には透明状部材６０が配置されている。本実施例において透明状部材６０は平板
状の部材であり、一例としてガラス材により構成されている。また、箱状体５８の内部に
おいて読取センサー部５４及び導電性シート材５６は、透明状部材６０の下方に位置して
いる（図８参照）。
【００５２】
箱状体５８は、図１１（Ａ）及び図１１（Ｂ）に示すように上部が開放されている箱状
の筐体として構成されている。箱状体５８の用紙搬送方向における一方の側（図１１（Ａ
）における＋Ｙ方向側）には、箱状体５８から用紙搬送方向上流側へと延びるガイド部５
８ａが形成されている。また、箱状体５８の用紙搬送方向における他方の側（図１１（Ａ
）における−Ｙ方向側）には、箱状体５８から用紙搬送方向下流側へと延びるガイド部５
８ｂが形成されている。
【００５３】
本実施例においてガイド部５８ａは、用紙搬送方向上流側から搬送されてきた用紙Ｐを
透明状部材６０の上面６０ａに案内するように構成されている（図８参照）。また、本実
施例においてガイド部５８ｂは透明状部材６０の上面６０ａを通過した用紙Ｐを画像読取
部３４の搬送方向下流側に位置する排出ローラー対３６へと案内するように構成されてい
る（図８参照）。
【００５４】
ここで、図１５を参照して、ガイド部５８ａと透明状部材６０の上面６０ａとの関係を
説明すると、装置高さ方向においてガイド部５８ａは、透明状部材６０の上面６０ａより
も距離Ｌ１分高くなるように配置されている。すなわち、透明状部材６０の上面６０ａは
、ガイド部５８ａに対し用紙Ｐの搬送経路１５から退避した状態にある。したがって、用
紙Ｐがガイド部５８ａから透明状部材６０の上面６０ａに移動する際の引っ掛かりを抑制
して円滑な搬送を実現することができる
【００５５】
また、箱状体５８内の底面５８ｃには、底面５８ｃから上方に向かって突出する複数の
係合ピン６２、６２が設けられている。本実施例において係合ピン６２、６２は底面５８
ｃにおいて用紙幅方向に所定の間隔をおいて配置されている。
【００５６】
また、底面５８ｃの４つの角部には、それぞれ高さ基準部６４が設けられている。本実
施例において高さ基準部６４は底面５８ｃから突出するとともに底面５８ｃと平行な平面
として構成されている。尚、図１１（Ａ）及び図１１（Ｂ）では４箇所設けられている高
さ基準部６４のうち底面５８ｃにおいて用紙搬送方向上流側の２つの角部に設けられた２
箇所のみが表示されているが用紙搬送方向下流側の２つの角部にも高さ基準部６４が２箇
所設けられている。
【００５７】
また、箱状体５８内の用紙搬送方向上流側の側面５８ｄには、「凸部」としての複数の
リブ６６、６６、６６、６６、６６が設けられている。本実施例において複数のリブ６６
は、装置高さ方向に沿って延び、互いに所定の間隔をおいて配置されている。本実施例に
おいてリブ６６は側面５８ｄに５箇所設けられている。
【００５８】
尚、リブ６６は、箱状体５８内に読取センサー部５４が収容された状態において、読取
センサー部５４とは接していないが、下部読み取りユニット４０に何らかの力が作用して
読取センサー部５４が用紙搬送方向に撓んだ際、リブ６６が読取センサー部５４と接触し
て読取センサー部５４を支持し、用紙搬送方向への撓みを規制する。
【００５９】
次いで、図１２及び図１３を参照して読取センサー部５４について説明する。本実施例
において読取センサー部５４は用紙幅方向に延びる略直方体の形状を有している。読取セ
ンサー部５４の上部には透明状部材６０が配置されている。また、本実施例において読取
センサー部５４は、用紙搬送方向上流側の側面５４ａ、用紙搬送方向下流側の側面５４ｂ
及び底部５４ｃを備えている。
【００６０】
また、図８に示すように読取センサー部５４の内部には、透明状部材６０と対向し、画
像を読み取るセンサー面が透明状部材６０に指向している読取センサー６８が配置されて
いる。また、読取センサー部５４の下部には読取センサー６８により読み取られた画像情
報を制御部４２に向けて送信するための回路基板７０が配置されている。尚、回路基板７
０は制御部４２と電気的に接続され、制御部４２の制御を受けている。
【００６１】
また、図１３に示すように、読取センサー部５４の底部５４ｃには、係合穴７２、７４
が設けられている。係合穴７２及び係合穴７４は、底部５４ｃにおいて用紙幅方向に係合
ピン６２、６２の所定の間隔に対応して配置されている。
【００６２】
本実施例において係合穴７２及び係合穴７４は、箱状体５８に読取センサー部５４が収
容された際、係合ピン６２、６２を受け入れて係合する。本実施例において一例として係
合穴７２は丸穴として構成され、係合穴７４は長穴として構成されている。本実施例にお
いて係合穴７２は、箱状体５８に対する読取センサー部５４の位置決め部として機能し、
係合穴７４は、箱状体５８に対する読取センサー部５４の位置決め部及び回転止め部とし
て機能している。
【００６３】
また、読取センサー部５４の底部５４ｃの四隅、つまり、箱状体５８の底面５８ｃに設
けられた複数の高さ基準部６４に対応する位置にそれぞれ被高さ基準部７６、７６、７６
、７６が設けられている。本実施例において被高さ基準部７６は平面として構成され、箱
状体５８に読取センサー部５４が収容された際、高さ基準部６４と係合し、読取センサー
部５４の箱状体５８に対する装置高さ方向における位置を規定する。
【００６４】
次いで、図１４を参照して導電性シート材５６について説明する。本実施例において導
電性シート材５６は平板状の部材として構成され、一例としてステンレス合金（ＳＵＳ材
）により形成されている。本実施例において導電性シート材には、「凹部」としての５箇
所の切欠き部５６ａが形成されている。
【００６５】
切欠き部５６ａは用紙幅方向において箱状体５８に設けられたリブ６６を受け入れ可能
な大きさに設定されており、互いに隣り合う切欠き部５６ａの間隔は、互いに隣り合うリ
ブ６６の所定の間隔に対応して設定されている。導電性シート材５６は箱状体５８内に配
置される際、リブ６６と切欠き部５６ａとが係合して、箱状体５８内に保持される。
【００６６】
つまり、本実施例によれば、箱状体５８の内面にはリブ６６が形成され、導電性シート
材５６には切欠き部５６ａが形成され、リブ６６と切欠き部５６ａとの係合により導電性
シート材５６が保持されるので、導電性シート材５６を作業性容易に箱状体５８内に保持
することができる。
【００６７】
また、導電性シート材５６には、該導電性シート材５６から突出する端子部５６ｂが設
けられている。端子部５６ｂは画像読取装置１０内の接地部材（不図示）と電気的に接続
されており、導電性シート材５６を接地（アース）している。
【００６８】
上記説明を踏まえて、再度図８を参照しながら下部読み取りユニット４０の構成を説明
すると、箱状体５８内に読取センサー部５４が収容され、箱状体５８における用紙搬送方
向上流側の側面５８ｄと読取センサー部５４の用紙搬送方向上流側の側面５４ａとの間に
は側面５８ｄと読取センサー部５４の側面５４ａとに挟み込まれた状態で導電性シート材
５６が配置されている。
【００６９】
ここで、複数の用紙Ｐが画像読取部３４を通過すると、透明状部材６０が帯電すること
がある。透明状部材６０に帯電した静電気は、読取センサー部５４の用紙搬送方向の上流
側の側面５４ａあるいは下流側の側面５４ｂを通って回路基板７０に放電される虞がある
。図８を参照するに透明状部材６０から回路基板７０への静電気の通路長として下流側の
側面５４ｂを介した場合よりも上流側の側面５４ａを介した場合の方が短くなる。そして
、透明状部材６０に帯電した静電気は、経路長が短い、つまり上流側の側面５４ａを介し
た場合の方に流れ易い傾向にある。
【００７０】
本実施例において導電性シート材５６は、少なくとも透明状部材６０から読取センサー
部５４が備える回路基板７０までの静電気の通路長が短い側の側面５４ａと箱状体５８内
の側面５８ｄとの間に配置されているので、いわゆる沿面距離が短い経路に導電性シート
材５６を配置することで、透明状部材６０から読取センサー部５４への静電気の放電に伴
う読取センサー部５４の故障を、より確実に抑制することができる。
【００７１】
また、本実施例では、箱状体５８において回路基板７０に近い側面５８ｄとの間には、
導電性シート材５６が配置されているので、箱状体５８に静電気が帯電した場合において
も静電気は導電性シート材５６に流れるので、読取センサー部５４の故障を、より確実に
抑制することができる。
【００７２】
尚、本実施例において沿面距離とは、２つの導電性部分間の、絶縁物の表面に沿った距
離を意味している。
【００７３】
＜＜＜上部読み取りユニットの構成について＞＞＞
図７ないし図９を参照するに上部読み取りユニット３８の基本的な構成は下部読み取り
ユニット４０と同様である。上部読み取りユニット３８における箱状体５２にも、用紙搬
送方向における一方の側（図８（Ａ）における＋Ｙ方向側）には、箱状体５２から用紙搬
送方向上流側へと延びるガイド部５２ａが形成されている。また、箱状体５２の用紙搬送
方向における他方の側（図８（Ａ）における−Ｙ方向側）には、箱状体５２から用紙搬送
方向下流側へと延びるガイド部５２ｂが形成されている。
【００７４】
本実施例においてガイド部５２ａは、用紙搬送方向上流側から搬送されてきた用紙Ｐを
透明状部材６０の上面６０ａに案内するように構成されている（図８参照）。また、本実
施例においてガイド部５２ｂは透明状部材６０の上面６０ａを通過した用紙Ｐを画像読取
部３４の搬送方向下流側に位置する排出ローラー対３６へと案内するように構成されてい
る（図８参照）。
【００７５】
また、図８に示すように本実施例において上部読み取りユニット３８のガイド部５２ａ
及びガイド部５２ｂは、用紙搬送方向において下部読み取りユニット４０のガイド部５８
ａ及びガイド部５８ｂよりも長く設定されている。尚、図示しないが上部読み取りユニッ
ト３８においても透明状部材６０の上面６０ａは、ガイド部５２ａに対して用紙Ｐの搬送
経路１５から退避する構成となっている。
【００７６】
また、本実施例において、上部読み取りユニット３８における導電性シート材５６は、
箱状体５２の用紙搬送方向下流側の側面５２ｃと読取センサー部５４の搬送方向下流側の
面５４ｂとの間に配置されている。上部読み取りユニット３８においても透明状部材６０
と回路基板７０との通路長が短くなる側、つまり沿面距離が短い経路側に導電性シート材
５６が配置されている。
【００７７】
したがって、上部読み取りユニット３８においても沿面距離が短い経路に導電性シート
材５６を配置することで、透明状部材６０から読取センサー部５４への静電気の放電に伴
う読取センサー部５４の故障を、より確実に抑制することができる。
【００７８】
また、本実施例では、上部読み取りユニット３８及び下部読み取りユニット４０におい
て読取センサー部５４を箱状体５２、５８に収容する構成としている。この構成によれば
、画像読取装置１０において装置下部に配置される制御部４２において発生する熱を箱状
体５２、５８により遮ることにより、読取センサー部５４に対する熱の影響を低減するこ
とができる。
【００７９】
また、この構成によれば、読取センサー部５４を箱状体５２、５８で覆うことから、透
明状部材６０から進入する光以外を遮光し、読取センサー部５４における外乱光の影響を
低減することができる。
【００８０】
また、本実施例では読取センサー部５４を収容する箱状体５２、５８は用紙搬送方向上
流側に延びるガイド部５２ａ、５８ａ及び下流側に延びるガイド部５２ｂ、５８ｂを備え
ているので、用紙Ｐの搬送時における紙粉の箱状体５２、５８内への侵入を低減し、読取
センサー部５４に紙粉が付着する虞を低減することができる。
【００８１】
また、本実施例では形状の異なるガイド部５２ａ、５２ｂ及びガイド部５８ａ、５８ｂ
が箱状体５２及び箱状体５８にそれぞれ形成されている。ここで、例えば、形状の異なる
ガイド部５２ａ、５２ｂ及びガイド部５８ａ、５８ｂをそれぞれ読取センサー部５４の筐
体に形成すると、上部読み取りユニット３８及び下部読み取りユニット４０に配置される
読取センサー部５４はガイド部５２ａ、５２ｂ及びガイド部５８ａ、５８ｂの形状が異な
ることから別部品となり、部品点数が増加する。
【００８２】
しかしながら、本実施例では形状の異なるガイド部５２ａ、５２ｂ及びガイド部５８ａ
、５８ｂをそれぞれ箱状体５２及び箱状体５８に形成し、箱状体５２及び箱状体５８にそ
れぞれ読取センサー部５４を収容する構成としたので、読取センサー部５４を共通化する
ことができる。その結果、画像読取装置１０においてコストダウンを図ることができる。
【００８３】
また、本実施例によれば、画像読取装置１０において用紙Ｐの面が接する透明状部材６
０及び透明状部材６０を介して用紙Ｐの面を読み取る読取センサー部５４を備えた上部読
み取りユニット３８及び下部読み取りユニット４０は、読取センサー部５４を収容する箱
状体５２、５８を備え、箱状体５２、５８には、用紙Ｐを透明状部材６０へガイドするガ
イド部５２ａ、５８ａが形成され、読取センサー部５４が箱状体５２、５８に収容された
状態において、透明状部材６０が用紙Ｐと接する面すなわち上面６０ａは、ガイド部５２
ａ、５８ａの上面に対し搬送経路１５から退避しているので、用紙Ｐがガイド部５２ａ、
５８ａから透明状部材６０の上面６０ａに移動する際の引っ掛かりを抑制して円滑な搬送
を実現することができる。
【００８４】
＜＜＜実施例の変更例＞＞＞
（１）本実施例において、導電性シート材５６は平板状の部材として構成したが、この構
成に代えて、導電性シート材５６がＬ字状を成すように構成してもよい。この構成により
、読取センサー部５４が箱状体５２、５８に収容された状態において、導電性シート材５
６が読取センサー部５４の側面及び底面と箱状体５２、５８との間に挟まれるので、導電
性シート材５６をより確実に箱状体５２、５８内に保持できる。
（２）本実施例において透明状部材６０をガラス材で構成したが、この構成に代えて、透
明状部材６０を透明なアクリル材で構成してもよい。
【００８５】
（３）本実施例において、導電性シート材５６は箱状体５２、５８内において沿面距離が
短い側の読取センサー部５４の側面と箱状体５２、５８との間に配置する構成としたが、
この構成に加えて、箱状体５２、５８内において沿面距離が長い側の読取センサー部５４
の側面と箱状体５２、５８との間に配置する構成としてもよく、さらに読取センサー部５
４の両側面と箱状体５２、５８との間に加えて、読取センサー部５４の底面と箱状体５２
、５８との間に配置する構成としてもよい。また、導電性シート材５６を読取センサー部
５４の底面と箱状体５２、５８との間に配置する構成において、導電性シート材５６は回
路基板７０に可燃性の部材が配置されていた場合における防火エンクロージャーとして機
能する。
（４）また、本実施例において上部読み取りユニット３８を付勢部材５０により上部ユニ
ット１４に対して進退可能とする構成としたが、この構成に代えて、下部読み取りユニッ
ト４０を下部ユニット１２に対して進退可能とする構成としても良く、上部読み取りユニ
ット３８及び下部読み取りユニット４０をそれぞれ上部ユニット１４及び下部ユニット１
２に対して進退可能とする構成としてもよい。
【００８６】
（５）また、本実施例では導電性シート材５６は、上部読み取りユニット３８及び下部読
み取りユニット４０においてそれぞれ読取センサー部５４の搬送方向における上流側の側
面５４ａ及び下流側の側面５４ｂのいずれか一方に配置する構成としたが、この構成に代
えて、読取センサー部５４の搬送方向における両側面５４ａ、５４ｂにそれぞれ導電性シ
ート材５６を配置しても良い。
（６）本実施例では、読取センサー部５４において回路基板７０が搬送方向上流側の側面
５４ａあるいは下流側の側面５４ｂのいずれかに片寄って配置されているが、この構成に
代えて、読取センサー部５４における搬送方向中央部に設ける構成としてもよい。
【００８７】
上記説明をまとめると、画像読取装置１０は用紙Ｐが搬送される搬送経路１５と、搬送
経路１５を搬送される用紙Ｐの面が接する透明状部材６０及び透明状部材６０を介して用
紙Ｐの面を読み取る読取センサー部５４を備えた読み取りユニットである上部読み取りユ
ニット３８及び下部読み取りユニット４０と、を備えている。読み取りユニット３８、４
０は、読取センサー部５４を収容する箱状体５２、５８と、箱状体５２、５８の内側と読
取センサー部５４との間に配置された導電性シート材５６とを備えている。導電性シート
材５６は、読取センサー部５４の周囲を構成する側面５４ａ、５４ｂであって用紙Ｐの搬
送方向と交差する側面である上流側の側面５４ａおよび下流側の側面５４ｂのうち、少な
くとも透明状部材６０から読取センサー部５４が備える回路基板７０までの静電気の通路
長が短い側の側面５４ａ又は５４ｂと箱状体５２、５８内の側面５２ｃ、５８ｄとの間に
配置されている。
【００８８】
画像読取装置１０において、上部読み取りユニット３８及び下部読み取りユニット４０
は、搬送経路１５を挟んで対向配置されている。箱状体５２、５８の内面にはリブ６６が
形成されている。導電性シート材５６には切欠き部５６ａが形成され、リブ６６と切欠き
部５６ａとの係合により導電性シート材５６が保持される。
【００８９】
また、画像読取装置１０において、導電性シート材５６がＬ字状を成すことにより、読
取センサー部５４が箱状体５２、５８に収容された状態において、導電性シート材５６が
読取センサー部５４の側面５４ａ又は５４ｂ及び底部５４ｃと箱状体５２、５８との間に
挟まれる。
【００９０】
画像読取装置１０において、箱状体５２、５８には、用紙Ｐを透明状部材６０の側へガ
イドするガイド部５２ａ、５８ａが形成されている。読取センサー部５４が箱状体５２、
５８に収容された状態において、透明状部材６０が用紙Ｐと接する面すなわち上面６０ａ
は、ガイド部５２ａ、５８ａの上面に対し搬送経路１５から退避している。
【００９１】
画像読取装置１０は、用紙Ｐが搬送される搬送経路１５と、搬送経路１５を搬送される
用紙Ｐの面が接する透明状部材６０及び透明状部材６０を介して用紙Ｐの面を読み取る読
取センサー部５４を備えた読み取りユニットである上部読み取りユニット３８及び下部読
み取りユニット４０とを備えている。上部読み取りユニット３８及び下部読み取りユニッ
ト４０は、読取センサー部５４を収容する箱状体５２、５８を備えている。箱状体５２、
５８には、用紙Ｐを透明状部材６０へガイドするガイド部５２ａ、５８ａが形成されてい
る。読取センサー部５４が箱状体５２、５８に収容された状態において、透明状部材６０
が用紙Ｐと接する面は、ガイド部５２ａ、５８ａの上面に対し搬送経路１５から退避して
いる。
【００９２】
尚、本発明は上記実施例に限定されることなく、特許請求の範囲に記載した発明の範囲
内で、種々の変形が可能であり、それらも本発明の範囲内に含まれるものであることは言
うまでもない。
【符号の説明】
【００９３】
１０  画像読取装置、１２  下部ユニット、１４  上部ユニット、１５  搬送経路、
１６  カバー部、１６ａ  裏面、１８  排紙トレイ、２０  給送口、２２  載置部、
２４  排出口、２６  第１給送ローラー、２８  第２給送ローラー、３０  分離ローラー
、
３２  搬送ローラー対、３２ａ  搬送駆動ローラー、３２ｂ  搬送従動ローラー、
３４  画像読取部、３６  排出ローラー対、３６ａ  排出駆動ローラー、
３６ｂ  排出従動ローラー、３８  上部読み取りユニット、４０  下部読み取りユニット
、
４２  制御部、４４  経路形成部材、４５  固定部材、４６  フック掛止部、
４８  フック、５０  付勢部材、５２  箱状体、５８  箱状体、
５２ａ、５２ｂ、５８ａ、５８ｂ  ガイド部、５２ｃ、５４ａ、５４ｂ、５８ｄ  側面、
５４  読取センサー部、５４ｃ  底部、５６  導電性シート材、５６ａ  切欠き部、
５６ｂ  端子部、５８ｃ  底面、６０  透明状部材、６０ａ  上面、６２  係合ピン、
６４  高さ基準部、６６  リブ、６８  読取センサー、７０  回路基板、
７２、７４  係合穴、７６  被高さ基準部、Ｌ１  距離、Ｐ  用紙
【図１】
2016178490.tif 000003
【図２】
2016178490.tif 000004
【図３】
2016178490.tif 000005
【図４】
2016178490.tif 000006
【図５】
2016178490.tif 000007
【図６】
2016178490.tif 000008
【図７】
2016178490.tif 000009
【図８】
2016178490.tif 000010
【図９】
2016178490.tif 000011
【図１０】
2016178490.tif 000012
【図１１】
2016178490.tif 000013
【図１２】
2016178490.tif 000014
【図１３】
2016178490.tif 000015
【図１４】
2016178490.tif 000016
【図１５】
2016178490.tif 000017